(57)【要約】【課題】電波伝搬環境に応じて送信電力を制御することができるＣＤＭＡ無線システムを提供する。【解決手段】ＭＳ２０（ＢＴＳ１０）は、第１フレームを表す送信信号を第１送信電力によって送信する。ＢＴＳ１０（ＭＳ２０）は、送信信号を受信信号として受信する。送信信号及び受信信号は、ＢＴＳ１０（ＭＳ２０）が第１フレームの同期を取るための複数のパイロットビットと、ＢＴＳ１０（ＭＳ２０）がＭＳ２０（ＢＴＳ１０）に第２フレームを送信するときの第２送信電力の調整を求める送信電力制御ビットとを含む。ＢＴＳ１０とＭＳ２０との無線通信回線上の電波伝搬環境が悪いとき、ＢＴＳ１０（ＭＳ２０）が受信信号を受信して復調／復号した結果に誤りが生じる。送信電力制御ビットが第２送信電力の減少を要求するとき、ＢＴＳ１０（ＭＳ２０）は、複数のパイロットビットに基づいて送信信号と受信信号との一致の度合いを表す一致度を算出し、一致度と所定の値とを比較し、比較の結果に基づいて、第２送信電力を減少させて第２フレームをＭＳ２０（ＢＴＳ１０）に送信する。【選択図】　図１
2004015354.tif 000002
【特許請求の範囲】
【請求項１】
無線通信回線網に接続された、基地局と移動局とを具備し、
第１装置として前記基地局及び前記移動局の一方は、第１フレームを表す送信信号を第１送信電力によって送信し、第２装置として前記基地局及び前記移動局の他方は、前記送信信号を受信信号として受信し、
前記送信信号及び前記受信信号は、前記第２装置が前記第１フレームの同期を取るための複数のパイロットビットと、前記第２装置が前記第１装置に第２フレームを送信するときの第２送信電力の調整を求める送信電力制御ビットとを含み、
前記送信電力制御ビットが前記第２送信電力の減少を要求するとき、前記第２装置は、前記複数のパイロットビットに基づいて前記送信信号と前記受信信号との一致の度合いを表す一致度を算出し、前記一致度と所定の値とを比較し、前記比較の結果に基づいて、前記第２送信電力を減少させて前記第２フレームを前記第１装置に送信する
ＣＤＭＡ無線システム。
【請求項２】
請求項１に記載のＣＤＭＡ無線システムにおいて、
前記送信電力制御ビットが前記第２送信電力の減少を要求するとき、前記第２装置は、前記複数のパイロットビットの中から、誤りを示す誤りパイロットビットを抽出し、前記複数のパイロットビットと前記誤りパイロットビットとの比に基づいて前記一致度を算出する
ＣＤＭＡ無線システム。
【請求項３】
請求項１又は２に記載のＣＤＭＡ無線システムにおいて、
前記所定の値は、乱数によって定まる
ＣＤＭＡ無線システム。
【請求項４】
第１装置として基地局及び移動局の一方と第２装置として前記基地局及び前記移動局の他方とが無線通信回線網を介して通信する方法であって、
前記第１装置から第１送信電力によって送信された第１フレームを表す送信信号を受信信号として受信するステップと、前記送信信号及び前記受信信号は、前記第２装置が前記第１フレームの同期を取るための複数のパイロットビットと、前記第２装置が前記第１装置に第２フレームを送信するときの第２送信電力の調整を求める送信電力制御ビットとを含み、
前記送信電力制御ビットが前記第２送信電力の増加を要求するとき、前記第２送信電力を増加させて前記第２フレームを前記第１装置に送信するステップと、
前記送信電力制御ビットが前記第２送信電力の減少を要求するとき、前記複数のパイロットビットに基づいて前記送信信号と前記受信信号との一致の度合いを表す一致度を算出するステップと、
前記算出された一致度と所定の値とを比較するステップと、
前記比較の結果に基づいて、前記第２送信電力を減少させて前記第２フレームを前記第１装置に送信するステップとを具備する
送信電力制御方法。
【請求項５】
請求項４に記載の送信電力制御方法において、
前記算出するステップは、
前記複数のパイロットビットの中から、誤りを示す誤りパイロットビットを抽出するステップと、
前記複数のパイロットビットと前記誤りパイロットビットとの比に基づいて前記一致度を算出するステップとを具備する
送信電力制御方法。
【請求項６】
請求項４又は５に記載の送信電力制御方法において、
前記所定の値は、乱数によって定まる
送信電力制御方法。
【請求項７】
無線通信回線網を介して移動局に接続された基地局であって、
前記移動局から第１送信電力によって送信された第１フレームを表す送信信号を受信信号として受信する受信部と、前記送信信号及び前記受信信号は、前記受信部が前記第１フレームの同期を取るための複数のパイロットビットと、前記移動局に第２フレームを送信するときの第２送信電力の調整を求める送信電力制御ビットとを含み、
前記送信電力制御ビットが前記第２送信電力の減少を要求するとき、前記複数のパイロットビットに基づいて、前記送信信号と前記受信信号との一致の度合いを表す一致度を算出し、前記一致度と所定の値とを比較し、前記比較の結果に基づいて、前記第２送信電力を減少させるための減少指示を行う制御部と、
前記減少指示に応じて、前記第２送信電力を減少させて前記第２フレームを前記移動局に送信する送信部とを具備する
基地局。
【請求項８】
請求項７に記載の基地局において、
前記送信電力制御ビットが前記第２送信電力の減少を要求するとき、前記制御部は、前記複数のパイロットビットの中から、誤りを示す誤りパイロットビットを抽出し、前記複数のパイロットビットと前記誤りパイロットビットとの比に基づいて前記一致度を算出する
基地局。
【請求項９】
請求項７又は８に記載の基地局において、
前記所定の値は、乱数によって定まる
基地局。
【請求項１０】
無線通信回線網を介して基地局に接続された移動局であって、
前記基地局から第１送信電力によって送信された第１フレームを表す送信信号を受信信号として受信する受信部と、前記送信信号及び前記受信信号は、前記受信部が前記第１フレームの同期を取るための複数のパイロットビットと、前記基地局に第２フレームを送信するときの第２送信電力の調整を求める送信電力制御ビットとを含み、
前記送信電力制御ビットが前記第２送信電力の減少を要求するとき、前記複数のパイロットビットに基づいて、前記送信信号と前記受信信号との一致の度合いを表す一致度を算出し、前記一致度と所定の値とを比較し、前記比較の結果に基づいて、前記第２送信電力を減少させるための減少指示を行う制御部と、
前記減少指示に応じて、前記第２送信電力を減少させて前記第２フレームを前記基地局に送信する送信部とを具備する
移動局。
【請求項１１】
請求項１０に記載の移動局において、
前記送信電力制御ビットが前記第２送信電力の減少を要求するとき、前記制御部は、前記複数のパイロットビットの中から、誤りを示す誤りパイロットビットを抽出し、前記複数のパイロットビットと前記誤りパイロットビットとの比に基づいて前記一致度を算出する
移動局。
【請求項１２】
請求項１０又は１１に記載の移動局において、
前記所定の値は、乱数によって定まる
移動局。
【発明の詳細な説明】
【０００１】
【発明の属する技術分野】
本発明は、ＣＤＭＡ無線システムに関し、特に無線フレームを電力（電波）によって送信する送信電力制御を行うＣＤＭＡ無線システムに関する。
【０００２】
【従来の技術】
近年、無線基地局（ＢＴＳ）と無線移動局（ＭＳ）とを用いたＣＤＭＡ無線システムが開発されている。このＣＤＭＡ無線システムの大きな特徴として、ＢＴＳ、ＭＳが無線フレームを電力（電波）によって送信する高速送信電力制御が挙げられる。この送信電力制御には、無線状況やチャネル種別により複数の手法があり、特に、個別物理チャネル（ＤＰＣＨ）に用いられるインナーループ電力制御は、刻々と変化する電波伝播環境に対して常に一定の通話品質を保持するために、無線フレームの最小単位であるタイムスロット（ＴＳ）毎に送信する電力を変動させるものである。
【０００３】
図６（ａ）は、ＤＰＣＨを用いた下りリンクの無線フレーム（以下、下り無線フレームと称する）の構成を示す図である。ＢＴＳは、下り無線フレームを送信信号として変調し拡散して電力（電波）によってＭＳに送信する。ＭＳは、ＢＴＳから送信された電力（電波）を受信し逆拡散して受信信号として下り無線フレームに復調（再生、復号）する。下り無線フレームは、電力制御周期となる１５個のＴＳ＃０〜ＴＳ＃１４から構成される。ここで、下り無線フレームの周期は、１０［ｍｓｅｃ］であり、下り無線フレームのＴＳ＃０〜ＴＳ＃１４の周期は、０．６７［ｍｓｅｃ］である。
【０００４】
下り無線フレームのＴＳ＃ｉ（ｉ＝０、１、２、…、１４）では、データ１“Ｄａｔａ１”と、送信電力の調整をＭＳに求めるための送信電力制御コマンド“ＴＰＣ”と、送信する無線フレームの構成形式を識別するための識別子“ＴＦＣＩ”と、データ２“Ｄａｔａ２”と、ＭＳが下り無線フレームの同期を取るためのパイロット信号“Ｐｉｌｏｔ”とが送られる。下り無線フレームのデータ１“Ｄａｔａ１”、データ２“Ｄａｔａ２”は、ユーザデータ（転送データ）であり、そのユーザデータ（データ１“Ｄａｔａ１”、データ２“Ｄａｔａ２”）を格納する個別物理データチャネル（ＤＰＤＣＨ）を用いて送られる。下り無線フレームの送信電力制御コマンド“ＴＰＣ”、送信形式識別子“ＴＦＣＩ”、パイロット信号“Ｐｉｌｏｔ”は、チャネルの制御情報であり、その制御情報を格納する個別物理制御チャネル（ＤＰＣＣＨ）を用いて送られる。下り無線フレームの送信電力制御コマンド“ＴＰＣ”は、送信電力制御ビット（ＴＰＣ　Ｂｉｔ）を構成する。下り無線フレームのパイロット信号“Ｐｉｌｏｔ”は、複数のパイロットビット（Ｐｉｌｏｔ　Ｂｉｔｓ）を構成し、その複数のパイロットビットとしては、規定されるスロットフォーマットに従い、ＴＳ当たり３〜８ビットである。下り無線フレームのパイロット信号“Ｐｉｌｏｔ”における複数のパイロットビットの各々は“０”又は“１”に設定され、下り無線フレームのパイロット信号“Ｐｉｌｏｔ”は、“０”、“１”に設定された複数のパイロットビットとしてパイロットビットパターンを構成する。
【０００５】
図６（ｂ）は、ＤＰＣＨを用いた上りリンクの無線フレーム（以下、上り無線フレームと称する）の構成を示す図である。ＭＳは、上り無線フレームを送信信号として変調し拡散して電力（電波）によってＢＴＳに送信する。ＢＴＳは、ＭＳから送信された電力（電波）を受信し逆拡散して上り受信信号として無線フレームに復調（再生、復号）する。上り無線フレームは、電力制御周期となる１５個のＴＳ＃０〜ＴＳ＃１４から構成される。ここで、上り無線フレームの周期は、１０［ｍｓｅｃ］であり、上り無線フレームのＴＳ＃０〜ＴＳ＃１４の周期は、０．６７［ｍｓｅｃ］である。
【０００６】
上り無線フレームのＴＳ＃ｉでは、データ“Ｄａｔａ”が送られる。また、上り無線フレームのＴＳ＃ｉでは、ＢＴＳが上り無線フレームの同期を取るためのパイロット信号“Ｐｉｌｏｔ”と、送信する無線フレームの構成形式を識別するための識別子“ＴＦＣＩ”と、送信ダイバシティ使用時のフィードバック情報“ＦＢＩ”と、送信電力の調整をＢＴＳに求めるための送信電力制御コマンド“ＴＰＣ”とが送られる。上り無線フレームのデータ“Ｄａｔａ”は、ユーザデータ（転送データ）であり、そのユーザデータ（データ“Ｄａｔａ”）を格納する個別物理データチャネル（ＤＰＤＣＨ）を用いて送られる。上り無線フレームのパイロット信号“Ｐｉｌｏｔ”、送信形式識別子“ＴＦＣＩ”、フィードバック情報“ＦＢＩ”、送信電力制御コマンド“ＴＰＣ”は、チャネルの制御情報であり、その制御情報を格納する個別物理制御チャネル（ＤＰＣＣＨ）を用いて送られる。この上り無線フレームのＤＰＣＣＨとＤＰＤＣＨは、ＭＳにより多重化される。上り無線フレームのパイロット信号“Ｐｉｌｏｔ”は、複数のパイロットビット（Ｐｉｌｏｔ　Ｂｉｔｓ）を構成し、その複数のパイロットビットとしては、規定されるスロットフォーマットに従い、ＴＳ当たり３〜８ビットである。上り無線フレームのパイロット信号“Ｐｉｌｏｔ”における複数のパイロットビットの各々は“０”又は“１”に設定され、上り無線フレームのパイロット信号“Ｐｉｌｏｔ”は、“０”、“１”に設定された複数のパイロットビットとしてパイロットビットパターンを構成する。上り無線フレームの送信電力制御コマンド“ＴＰＣ”は、送信電力制御ビット（ＴＰＣ　Ｂｉｔ）を構成する。
【０００７】
ＢＴＳ、ＭＳは、予めに定められた基準パイロット信号と、予めに定められた基準信号干渉レート（ターゲットＳＩＲ）とを保持している。基準パイロット信号は、複数のパイロットビット（Ｐｉｌｏｔ　Ｂｉｔｓ）を構成する。基準パイロット信号における複数のパイロットビットの各々は“０”又は“１”に設定され、基準パイロット信号は、“０”、“１”に設定された複数のパイロットビットとして無線フレームのパイロット信号“Ｐｉｌｏｔ”と同じパイロットビットパターンを構成する。
【０００８】
今、ＢＴＳは、ＴＳ＃０で下り無線フレームを送信信号として変調し拡散して電力（電波）によってＭＳに送信し、ＭＳは、ＴＳ＃０で上り無線フレームを送信信号として変調し拡散して電力（電波）によってＢＴＳに送信したものとする。まず、ＢＴＳ（又はＭＳ）は、受信処理を行う。この受信処理において、ＢＴＳ（又はＭＳ）は、ＴＳ＃０でＭＳ（又はＢＴＳ）から送信された電力を受信し逆拡散して受信信号として上り無線フレーム（又は下り無線フレーム）に復調／復号したとき、受信信号である上り無線フレーム（又は下り無線フレーム）から、パイロット信号“Ｐｉｌｏｔ”、送信電力制御コマンド“ＴＰＣ”、ユーザデータ｛データ“Ｄａｔａ”（又は、データ１“Ｄａｔａ１”、データ２“Ｄａｔａ２”）｝を取得する。
【０００９】
次に、ＢＴＳ（ＭＳ）は、フレーム同期処理と送信電力設定処理とを行う。このフレーム同期処理において、ＢＴＳ（ＭＳ）は、取得されたパイロット信号“Ｐｉｌｏｔ”と基準パイロット信号とを比較して、一致したとき、上り無線フレーム（下り無線フレーム）の同期を取る。同時に、送信電力設定処理として、ＢＴＳ（ＭＳ）は、取得されたパイロット信号“Ｐｉｌｏｔ”と基準パイロット信号とにより、ＭＳ（ＢＴＳ）がＴＳ＃０で送信したときの上り無線フレーム（下り無線フレーム）における受信ＳＩＲを算出する。受信ＳＩＲは、基準パイロット信号を構成する複数のパイロットビットに対する、パイロット信号“Ｐｉｌｏｔ”を構成する複数のパイロットビットの比である。
【００１０】
送信電力設定処理において、ＢＴＳ（ＭＳ）は、算出された受信ＳＩＲとターゲットＳＩＲとを比較する。例えば算出された受信ＳＩＲがターゲットＳＩＲ以下の場合、ＢＴＳ（ＭＳ）は、ＢＳ（ＢＴＳ）によって次のＴＳ＃１で上り無線フレーム（下り無線フレーム）を送信するときに送信電力を増加してもらうための送信電力制御コマンド“ＴＰＣ”を決定する。この送信電力は、ＭＳ（ＢＴＳ）が上り無線フレーム（下り無線フレーム）を送信するときの電力を表す。このとき、ＢＴＳ（ＭＳ）は、ＴＳ＃１で送信するための下り無線フレーム（上り無線フレーム）の送信電力制御コマンド“ＴＰＣ”として送信電力制御ビット（ＴＰＣビット）に“１”を設定する。ＴＰＣビット“１”は、送信電力の増加の要求を表す。一方、例えば算出された受信ＳＩＲがターゲットＳＩＲを超えた場合、ＢＴＳ（ＭＳ）は、ＢＳ（ＢＴＳ）によって次のＴＳ＃１で上り無線フレーム（下り無線フレーム）を送信するときに送信電力を減少してもらうための送信電力制御コマンド“ＴＰＣ”を決定する。このとき、ＢＴＳ（ＭＳ）は、ＴＳ＃１で送信するための下り無線フレーム（上り無線フレーム）の送信電力制御コマンド“ＴＰＣ”としてＴＰＣビットに“０”を設定する。ＴＰＣビット“０”は、送信電力の減少の要求を表す。
【００１１】
次に、ＢＴＳ（ＭＳ）は、送信電力制御処理を行う。この送信電力制御処理において、ＢＴＳ（ＭＳ）は、取得された送信電力制御コマンド“ＴＰＣ”のＴＰＣビット（受信ＴＰＣビットとする）が“１”である場合、ＴＳ＃１で送信電力を増加させて下り無線フレーム（上り無線フレーム）を送信信号としてＭＳ（ＢＴＳ）に送信する。このとき、ＴＳ＃１で送信された下り無線フレーム（上り無線フレーム）の送信電力を表すレベル（送信電力レベル）は、ＴＳ＃０で送信された下り無線フレーム（上り無線フレーム）の送信電力レベルよりも高い。一方、ＢＴＳ（ＭＳ）は、受信ＴＰＣビットが“０”である場合、ＴＳ＃１で送信電力を減少させて下り無線フレーム（上り無線フレーム）を送信信号としてＭＳ（ＢＴＳ）に送信する。このとき、ＴＳ＃０で送信された下り無線フレーム（上り無線フレーム）の送信電力レベルは、ＴＳ＃０で送信された下り無線フレーム（上り無線フレーム）の送信電力レベルよりも低い。
【００１２】
現在のＣＤＭＡ無線システムでは、ＴＰＣビットは“０”又は“１”の２値であり、送信電力を増加させるか、減少させるかのどちらか一方を制御する。即ち、送信電力が規定される上限値、又は、下限値でない限り、１つ前のＴＳと異なる電力（送信電力）が送出されることになる。このように、現状のＣＤＭＡ無線システムは、ＴＳという非常に短い周期（０．６７［ｍｓｅｃ］）で送信電力レベルを評価して送信電力を調整（変動）することができる。
【００１３】
【発明が解決しようとする課題】
例えば、上りリンクの電波伝播環境が劣悪な場合、即ち、ＢＴＳで受信信号（下り無線フレーム）を受信したときの受信ＳＩＲがターゲットＳＩＲと比べて著しく低かった場合、ＢＴＳで受信信号（下り無線フレーム）を受信したときの送信電力制御コマンド“ＴＰＣ”の信頼性は低いといえる。しかし、現状のインナーループ送信電力制御機構では、それを評価し補正する術がない。このため、ＢＴＳは、受信信号（下り無線フレーム）を受信したときの送信電力制御コマンド“ＴＰＣ”（受信ＴＰＣビット）に従い、受信ＴＰＣビットが“１”であれば送信電力を増加させ、“０”であれば送信電力を減少させることになる。
【００１４】
一般に、ＭＳから送信された電波がＢＴＳに到達し受信されるまで通った経路と、ＢＴＳから送信されＭＳで受信されたときに通った経路には大きな差はなく、また、上限と下限で規定される送信電力レベルも同等のものであるため、ＢＴＳで受信信号（上り無線フレーム）を受信したときの受信ＳＩＲが低ければ、ＭＳで受信信号（下り無線フレーム）を受信したときの受信ＳＩＲも低いことが予想される。
【００１５】
例えば、ＭＳは、あるＴＳ（例えばＴＳ＃０）で受信信号（下り無線フレーム）を受信したとき、その受信信号（下り無線フレーム）における受信ＳＩＲが低かったために、ＢＴＳによって次のＴＳ（例えばＴＳ＃１）で下り無線フレームを送信するときに送信電力を増加してもらうようにＴＰＣビットに“１”を設定した送信信号（上り無線フレーム）を送信したとする。ＭＳとＢＴＳとの無線通信回線上の電波伝搬環境が悪いために、ＢＴＳが受信信号（上り無線フレーム）を受信して復調／復号した結果に誤りが生じ、ＢＴＳは、その受信信号（上り無線フレーム）の受信ＴＰＣビットが“０”（送信電力を減少させる）であると判定する。この場合、ＢＴＳでは、ＭＳによって次のＴＳ（ＴＳ＃１）で受信信号（下り無線フレーム）を受信するための送信電力をＭＳの要求（送信電力の増加の要求）に反して減少させてしまう、といった現象が発生する。このように、現状（従来）のＣＤＭＡ無線システムでは、電波伝搬環境が悪いときに上述した現象が発生すると、通話品質が低下してしまう。
【００１６】
図７は、上述のような電波伝搬環境の悪い擬似試験結果を表す。擬似試験では、無線通信を行うＢＴＳ−ＭＳ間の電波伝搬環境を擬似的に悪くした擬似無線通信環境を構築した。擬似試験としては、例えば、ＭＳが上り無線フレームを送信信号として変調・拡散して送信し、その上り無線フレームをＢＴＳが受信信号として受信して逆拡散・復調／復号したときに、フレーム周期“１０［ｍｓｅｃ］”毎（図７の１行〜１０行）に擬似試験結果を測定した。擬似試験結果は、受信ＳＩＲ（Ａ列）と、測定パイロットビット数（Ｂ列）と、誤りパイロットビット数（Ｃ列）と、受信ＴＰＣビット（Ｄ列）とを含む。測定パイロットビット数（Ｂ列）は、フレーム当たり（１５ＴＳ）のパイロットビット数であり、５×１５ＴＳ（７５ビット）で表される。誤りパイロットビット数（Ｃ列）は、パイロットビットの誤りを示す。受信ＴＰＣビット（Ｄ列）は、ＢＴＳが受信信号（上り無線フレーム）を受信したときの１５ＴＳ分のＴＰＣビットを表す。擬似試験結果は、受信ＳＩＲ（Ａ列）と測定パイロットビット数（Ｂ列）と誤りパイロットビット数（Ｃ列）と受信ＴＰＣビット（Ｄ列）とに対応付けられた、フレームの本来の受信ＴＰＣビット（Ｅ列）と、排他的論理和結果（Ｆ列）と、誤りＴＰＣビット数（Ｇ列）とを含む。本来の受信ＴＰＣビット（Ｅ列）は、ＭＳが送信信号（上り無線フレーム）を送信したときの１５ＴＳ分のＴＰＣビットを表す。ここで、本来の受信ＴＰＣビット（Ｅ列）は、評価のため“０”と“１”の交番とした。排他的論理和結果（Ｆ列）は、受信ＴＰＣビット（Ｄ列）と本来の受信ＴＰＣビット（Ｅ列）との排他的論理和の算出結果を表す。誤りＴＰＣビット数（Ｇ列）は、排他的論理和結果（Ｆ列）に基づくＴＰＣビットの誤りを示し、排他的論理和の算出結果が“１”であるときの数を表す。
【００１７】
図７に示されるように、受信ＳＩＲが低ければ、その受信ＳＩＲに応じてパイロットビットの誤り（誤りパイロットビット数）が増加し、ＴＰＣビットの誤り（誤りＴＰＣビット数）も増加する。受信ＳＩＲ（Ａ列−２行）が“−１．９１８９［ｄＢ］”であるとき、あるいは、受信ＳＩＲ（Ａ列−３行）が“−２．３２４２［ｄＢ］”であるとき、誤りＴＰＣビット数（Ｇ列−２行、Ｇ列−３行）は“６”である。即ち、フレーム当たり（１５ＴＳ）に６回も受信ＴＰＣビットの判定に誤りが生じる。このような相関関係を明確にしたグラフを図８に示す。このグラフは、横軸にＣｏｎｎｅｃｔｉｏｎ　Ｆｒａｍｅ　Ｎｕｍｂｅｒ（ＣＦＮ）、縦軸に誤りパイロットビット数と誤りＴＰＣビット数とを規格化した値を示す。図８に示されるように、誤りパイロットビット数が増加したときに誤りＴＰＣビット数が増加する相関関係は高い確率で一致している。
【００１８】
このように、従来のＣＤＭＡ無線システムにおける現状の送信電力制御方法では、電波伝搬環境が悪い場合、フレーム当たり（１５ＴＳ）に６回も受信ＴＰＣビットの判定に誤りが生じても、ＢＴＳは、誤りがあるＴＰＣビット通りに送信電力を調整してしまう。電波伝搬環境が良い場合に加え、電波伝搬環境が悪い場合でも通話品質を保持することができるＣＤＭＡ無線システムが望まれる。
【００１９】
本発明の目的は、電波伝搬環境に応じて送信電力を制御することができるＣＤＭＡ無線システムを提供することにある。
【００２０】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００２１】
本発明のＣＤＭＡ無線システムは、基地局（１０）と移動局（２０）とを具備する。基地局（１０）と移動局（２０）は、無線通信回線網に接続されている。第１装置として基地局（１０）及び移動局（２０）の一方は、第１フレームを表す送信信号を第１送信電力によって送信する。第２装置として基地局（１０）及び移動局（２０）の他方は、送信信号を受信信号として受信する。送信信号及び受信信号は、第２装置が第１フレームの同期を取るための複数のパイロットビットと、第２装置が第１装置に第２フレームを送信するときの第２送信電力の調整を求める送信電力制御ビットとを含む。本発明のＣＤＭＡ無線システムは、電波伝搬環境に応じて送信電力を制御することができる。例えば、基地局（１０）と移動局（２０）との無線通信回線上の電波伝搬環境が悪いとき、第２装置が受信信号を受信して復調／復号した結果に誤りが生じる。送信電力制御ビットが第２送信電力の減少を要求するとき、第２装置は、複数のパイロットビットに基づいて送信信号と受信信号との一致の度合いを表す一致度（Ｚ）を算出し、一致度（Ｚ）と所定の値とを比較し、比較の結果に基づいて、第２送信電力を減少させて第２フレームを第１装置に送信する。ここで、所定の値は、乱数によって定まる。一方、送信電力制御ビットが第２送信電力の増加を要求するとき、第２装置は、第２送信電力を増加させて第２フレームを第１装置に送信する。このように、本発明のＣＤＭＡ無線システムは、電波伝搬環境が良い場合に加え、電波伝搬環境が悪い場合でも通話品質を保持することができる。
【００２２】
本発明のＣＤＭＡ無線システムにおいて、送信電力制御ビットが第２送信電力の減少を要求するとき、第２装置は、複数のパイロットビットの中から、誤りを示す誤りパイロットビットを抽出し、複数のパイロットビットと誤りパイロットビットとの比に基づいて一致度（Ｚ）を算出する。
【００２３】
本発明の送信電力制御方法は、第１装置と第２装置とが無線通信回線網を介して通信する方法である。第１装置は、基地局（１０）及び移動局（２０）の一方である。第２装置は、基地局（１０）及び移動局（２０）の他方である。本発明の送信電力制御方法は、第１装置から第１送信電力によって送信された第１フレームを表す送信信号を受信信号として受信するステップ（Ｓ１０）を具備する。送信信号及び受信信号は、第２装置が第１フレームの同期を取るための複数のパイロットビットと、第２装置が第１装置に第２フレームを送信するときの第２送信電力の調整を求める送信電力制御ビットとを含む。本発明の送信電力制御方法は、電波伝搬環境に応じて送信電力を制御することができる。例えば、基地局（１０）と移動局（２０）との無線通信回線上の電波伝搬環境が悪いとき、第２装置が受信信号を受信して復調／復号した結果に誤りが生じる。本発明の送信電力制御方法は、更に、送信電力制御ビットが第２送信電力の増加を要求するとき（Ｓ１−ＹＥＳ）、第２送信電力を増加させて第２フレームを第１装置に送信するステップ（Ｓ２）と、送信電力制御ビットが第２送信電力の減少を要求するとき（Ｓ１−ＮＯ）、複数のパイロットビットに基づいて送信信号と受信信号との一致の度合いを表す一致度（Ｚ）を算出するステップ（Ｓ３、Ｓ４）と、算出された一致度（Ｚ）と所定の値とを比較するステップ（Ｓ５）と、比較の結果に基づいて（Ｓ５−ＹＥＳ）、第２送信電力を減少させて第２フレームを第１装置に送信するステップ（Ｓ６）とを具備する。ここで、所定の値は、乱数によって定まる。このように、本発明の送信電力制御方法は、電波伝搬環境が良い場合に加え、電波伝搬環境が悪い場合でも通話品質を保持することができる。
【００２４】
本発明の送信電力制御方法において、算出するステップ（Ｓ３、Ｓ４）は、複数のパイロットビットの中から、誤りを示す誤りパイロットビットを抽出するステップ（Ｓ３）と、複数のパイロットビットと誤りパイロットビットとの比に基づいて一致度（Ｚ）を算出するステップ（Ｓ４）とを具備する。
【００２５】
本発明の基地局（１０）は、無線通信回線網を介して移動局（２０）に接続されている。本発明の基地局（１０）は、受信部（３１）と、制御部（３２）と、送信部（３３）とを具備する。受信部（３１）は、移動局（２０）から第１送信電力によって送信された第１フレーム（上りリンクの無線フレーム）を表す送信信号を受信信号として受信する。送信信号及び受信信号は、受信部（３１）が第１フレーム（上りリンクの無線フレーム）の同期を取るための複数のパイロットビットと、移動局（２０）に第２フレーム（下りリンクの無線フレーム）を送信するときの第２送信電力の調整を求める送信電力制御ビットとを含む。本発明の基地局（１０）は、電波伝搬環境に応じて送信電力を制御することができる。例えば、基地局（１０）と移動局（２０）との無線通信回線上の電波伝搬環境が悪いとき、基地局（１０）が受信信号を受信して復調／復号した結果に誤りが生じる。送信電力制御ビットが第２送信電力の減少を要求するとき、制御部（３２）は、複数のパイロットビットに基づいて、送信信号と受信信号との一致の度合いを表す一致度（Ｚ）を算出し、一致度と所定の値とを比較し、比較の結果に基づいて、第２送信電力を減少させるための減少指示を行う。ここで、所定の値は、乱数によって定まる。送信部（３３）は、減少指示に応じて、第２送信電力を減少させて第２フレーム（下りリンクの無線フレーム）を移動局（２０）に送信する。一方、送信電力制御ビットが第２送信電力の増加を要求するとき、制御部（３２）は、第２送信電力を増加させるための増加指示を行う。送信部（３３）は、第２送信電力を増加させて第２フレーム（下りリンクの無線フレーム）を移動局（２０）に送信する。このように、本発明の基地局（１０）は、電波伝搬環境が良い場合に加え、電波伝搬環境が悪い場合でも通話品質を保持することができる。
【００２６】
本発明の基地局（１０）において、送信電力制御ビットが第２送信電力の減少を要求するとき、制御部（３２）は、複数のパイロットビットの中から、誤りを示す誤りパイロットビットを抽出し、複数のパイロットビットと誤りパイロットビットとの比に基づいて一致度（Ｚ）を算出する。
【００２７】
本発明の移動局（２０）は、無線通信回線網を介して基地局（１０）に接続されている。本発明の移動局（２０）は、受信部（３１）と、制御部（３２）と、送信部（３３）とを具備する。受信部（３１）は、基地局（１０）から第１送信電力によって送信された第１フレーム（下りリンクの無線フレーム）を表す送信信号を受信信号として受信する。送信信号及び受信信号は、受信部（３１）が第１フレーム（下りリンクの無線フレーム）の同期を取るための複数のパイロットビットと、基地局（１０）に第２フレーム（上りリンクの無線フレーム）を送信するときの第２送信電力の調整を求める送信電力制御ビットとを含む。本発明の移動局（２０）は、電波伝搬環境に応じて送信電力を制御することができる。例えば、基地局（１０）と移動局（２０）との無線通信回線上の電波伝搬環境が悪いとき、移動局（２０）が受信信号を受信して復調／復号した結果に誤りが生じる。送信電力制御ビットが第２送信電力の減少を要求するとき、制御部（３２）は、複数のパイロットビットに基づいて、送信信号と受信信号との一致の度合いを表す一致度を算出し、一致度と所定の値とを比較し、比較の結果に基づいて、第２送信電力を減少させるための減少指示を行う。ここで、所定の値は、乱数によって定まる。送信部（３３）は、減少指示に応じて、第２送信電力を減少させて第２フレーム（上りリンクの無線フレーム）を基地局（１０）に送信する。一方、送信電力制御ビットが第２送信電力の増加を要求するとき、制御部（３２）は、第２送信電力を増加させるための増加指示を行う。送信部（３３）は、第２送信電力を増加させて第２フレーム（上りリンクの無線フレーム）を移動局（２０）に送信する。このように、本発明の移動局（２０）は、電波伝搬環境が良い場合に加え、電波伝搬環境が悪い場合でも通話品質を保持することができる。
【００２８】
本発明の移動局（２０）において、送信電力制御ビットが第２送信電力の減少を要求するとき、制御部（３２）は、複数のパイロットビットの中から、誤りを示す誤りパイロットビットを抽出し、複数のパイロットビットと誤りパイロットビットとの比に基づいて一致度（Ｚ）を算出する。
【００２９】
【発明の実施の形態】
添付図面を参照して、本発明による本発明のＣＤＭＡ無線システムの実施の形態を以下に説明する。本発明のＣＤＭＡ無線システムは、図１に示されるように、無線基地局（ＢＴＳ）１０、無線移動局（ＭＳ）２０を具備する。ＢＴＳ１０とＭＳ２０は、公衆回線網で例示される無線通信回線網により接続されている。ＢＴＳ１０は、図６（ａ）を用いて説明された下り無線フレームを送信信号として変調し拡散して電力（電波）によってＭＳ２０に送信する。ＭＳ２０は、ＢＴＳ１０から送信された電力（電波）を受信し逆拡散して受信信号として下り無線フレームに復調（再生、復号）する。ＭＳ２０は、図６（ｂ）を用いて説明された上り無線フレームを送信信号として変調し拡散して電力（電波）によってＢＴＳ１０に送信する。ＢＴＳ１０は、ＭＳ２０から送信された電力（電波）を受信し逆拡散して受信信号として上り無線フレームに復調（再生、復号）する。
【００３０】
ＢＴＳ１０とＭＳ２０は、受信部３１と、制御部３２と、送信部３３とを具備する。受信部３１、送信部３３は、アンテナを有する。制御部３２は、ＣＰＵであり、予めに定められた基準パイロット信号と、予めに定められた基準信号干渉レート（ターゲットＳＩＲ）とを保持している。ここで、基準パイロット信号は、複数のパイロットビット（Ｐｉｌｏｔ　Ｂｉｔｓ）を構成する。また、制御部３２は、乱数を発生させる乱数発生部３４を有する。
【００３１】
本発明のＣＤＭＡ無線システムの動作を説明する。今、ＢＴＳ１０は、ＴＳ＃０で下り無線フレームを送信信号として変調し拡散して電力（電波）によってＭＳ２０に送信し、ＭＳ２０は、ＴＳ＃０で上り無線フレームを送信信号として変調し拡散して電力（電波）によってＢＴＳ１０に送信したものとする。図２に示されるように、まず、ＢＴＳ１０（又はＭＳ２０）は、受信処理（ステップＳ１０）を行う。この受信処理において、ＢＴＳ１０（又はＭＳ２０）の受信部３１は、ＴＳ＃０でＭＳ２０（又はＢＴＳ１０）から送信された電力を受信し逆拡散して受信信号として上り無線フレーム（又は下り無線フレーム）に復調／復号したとき、その上り無線フレーム（又は下り無線フレーム）から、パイロット信号“Ｐｉｌｏｔ”、送信電力制御コマンド“ＴＰＣ”、ユーザデータ｛データ“Ｄａｔａ”（又は、データ１“Ｄａｔａ１”、データ２“Ｄａｔａ２”）｝を取得する。
【００３２】
次に、ＢＴＳ１０（ＭＳ２０）は、フレーム同期処理（ステップＳ２０）と送信電力設定処理（ステップＳ３０）とを行う。このフレーム同期処理において、ＢＴＳ１０（ＭＳ２０）の受信部３１は、取得されたパイロット信号“Ｐｉｌｏｔ”と基準パイロット信号とを比較して、一致したとき、上り無線フレーム（下り無線フレーム）の同期を取る。同時に、送信電力設定処理として、ＢＴＳ１０（ＭＳ２０）の制御部３２は、取得されたパイロット信号“Ｐｉｌｏｔ”と基準パイロット信号とにより、ＭＳ２０（ＢＴＳ１０）がＴＳ＃０で送信したときの上り無線フレーム（下り無線フレーム）における受信ＳＩＲを算出する。受信ＳＩＲは、基準パイロット信号を構成する複数のパイロットビットに対する、パイロット信号“Ｐｉｌｏｔ”を構成する複数のパイロットビットの比である。
【００３３】
送信電力設定処理において、ＢＴＳ１０（ＭＳ２０）の制御部３２は、算出された受信ＳＩＲとターゲットＳＩＲとを比較する。例えば算出された受信ＳＩＲがターゲットＳＩＲ以下の場合、ＢＴＳ１０（ＭＳ２０）は、ＢＳ２０（ＢＴＳ１０）によって次のＴＳ＃１で上り無線フレーム（下り無線フレーム）を送信するときに送信電力を増加してもらうための送信電力制御コマンド“ＴＰＣ”を決定する。この送信電力は、ＭＳ２０（ＢＴＳ１０）が上り無線フレーム（下り無線フレーム）を送信するときの電力を表す。このとき、ＢＴＳ１０（ＭＳ２０）の制御部３２は、ＴＳ＃１で送信するための下り無線フレーム（上り無線フレーム）の送信電力制御コマンド“ＴＰＣ”として送信電力制御（ＴＰＣ）ビットに“１”を設定する。ＴＰＣビット“１”は、送信電力の増加の要求を表す。一方、例えば算出された受信ＳＩＲがターゲットＳＩＲを超えた場合、ＢＴＳ１０（ＭＳ２０）の制御部３２は、ＢＳ（ＢＴＳ）によって次のＴＳ＃１で上り無線フレーム（下り無線フレーム）を送信するときに送信電力を減少してもらうための送信電力制御コマンド“ＴＰＣ”を決定する。このとき、ＢＴＳ１０（ＭＳ２０）の制御部３２は、ＴＳ＃１で送信するための下り無線フレーム（上り無線フレーム）の送信電力制御コマンド“ＴＰＣ”としてＴＰＣビットに“０”を設定する。ＴＰＣビット“０”は、送信電力の減少の要求を表す。
【００３４】
次に、ＢＴＳ１０（ＭＳ２０）は、送信電力制御処理（ステップＳ４０）を行う。この送信電力制御処理において、図３に示されるように、ＢＴＳ１０（ＭＳ２０）の制御部３２は、取得された送信電力制御コマンド“ＴＰＣ”のＴＰＣビット（受信ＴＰＣビットとする）が“１”である場合（ステップＳ１−ＹＥＳ）、ＴＳ＃１のときに送信電力を増加させる増加指示を、ＢＴＳ１０（ＭＳ２０）の送信部３３に出力する。ＢＴＳ１０（ＭＳ２０）の送信部３３は、その増加指示に応じて、ＴＳ＃１で送信電力を増加させて下り無線フレーム（上り無線フレーム）を送信信号としてＭＳ２０（ＢＴＳ１０）に送信する（ステップＳ２）。このとき、ＴＳ＃１で送信された下り無線フレーム（上り無線フレーム）の送信電力を表すレベル（送信電力レベル）は、ＴＳ＃０で送信された下り無線フレーム（上り無線フレーム）の送信電力レベルよりも高い。
【００３５】
一方、ＢＴＳ１０（ＭＳ２０）の制御部３２は、受信ＴＰＣビットが“０”である場合（ステップＳ１−ＮＯ）、取得されたパイロット信号“Ｐｉｌｏｔ”を構成する複数のパイロットビットを、ＴＳ当たりの測定パイロットビット数Ｘとしてカウントする。ＢＴＳ１０（ＭＳ２０）の制御部３２は、その複数のパイロットビットの中から、誤りを示すパイロットビットを抽出し、抽出されたパイロットビットを誤りパイロットビット数Ｙとしてカウントする（ステップＳ３）。ＢＴＳ１０（ＭＳ２０）の制御部３２は、ＴＳ当たりの測定パイロットビット数Ｘと誤りパイロットビット数Ｙとの比を誤り率Ｚ’として、下記式：
Ｚ’＝Ｙ／Ｘ
によって算出する。ＢＴＳ１０（ＭＳ２０）の制御部３２は、下記式：
Ｚ＝１−Ｚ’
によって、信頼性Ｚを算出する（ステップＳ４）。この信頼性Ｚは、ＢＴＳ１０（ＭＳ２０）が受信信号である上り無線フレーム（下り無線フレーム）を受信したときの送信電力制御コマンド“ＴＰＣ”の信頼性（受信ＴＰＣの信頼性）を表す。即ち、受信ＴＰＣの信頼性Ｚは、ＭＳ２０（ＢＴＳ１０）が送信したときの送信信号である上り無線フレーム（下り無線フレーム）と、ＢＴＳ１０（ＭＳ２０）が受信したときの受信信号である上り無線フレーム（下り無線フレーム）との一致の度合いを表す一致度である。例として、ＴＳ当たりの測定パイロットビット数Ｘが“８”、“５”、“３”のときの信頼性Ｚを図４に示し、受信ＴＰＣの信頼性Ｚは、０〜１の実数で表される。
【００３６】
このように、本発明のＣＤＭＡ無線システムでは、受信ＴＰＣビットが“０”である場合のみ受信ＴＰＣの信頼性Ｚを算出する。パイロットビットの誤りを示す誤りパイロットが生じているということは、ＭＳ２０とＢＴＳ１０との無線通信回線上の電波伝搬環境が悪いことを意味しているため、ＭＳ２０（ＢＴＳ１０）が送信ＴＰＣビットに“０”を設定した上り無線フレーム（下り無線フレーム）を送信したことの信頼性を検証する必要があるためである。
【００３７】
ＢＴＳ１０（ＭＳ２０）の制御部３２の乱数発生部３４は、乱数を用いて所定の値を発生する。所定の値は、０〜１の実数で表される。ＢＴＳ１０（ＭＳ２０）の制御部３２は、乱数による所定の値と、算出された信頼性Ｚとを比較して、確率的な判定を行う（ステップＳ５）。信頼性Ｚが所定の値より高い場合（又は、信頼性Ｚが所定の値以上の場合）（ステップＳ５−ＹＥＳ）、ＢＴＳ１０（ＭＳ２０）の制御部３２は、ＴＳ＃１のときに送信電力を減少させる減少指示を、ＢＴＳ１０（ＭＳ２０）の送信部３３に出力する。ＢＴＳ１０（ＭＳ２０）の送信部３３は、その減少指示に応じて、ＴＳ＃１で送信電力を減少させて下り無線フレーム（上り無線フレーム）を送信信号としてＭＳ２０（ＢＴＳ１０）に送信する（ステップＳ６）。このとき、ＴＳ＃１で送信された下り無線フレームの送信電力レベルは、ＴＳ＃０で送信された下り無線フレーム（上り無線フレーム）の送信電力レベルよりも低い。
【００３８】
一方、信頼性Ｚが所定の値以下の場合（又は、信頼性Ｚが所定の値より低い場合）（ステップＳ５−ＮＯ）、ＢＴＳ１０（ＭＳ２０）の制御部３２は、ＴＳ＃１のときに送信電力を調整しない非調整指示を、ＢＴＳ１０（ＭＳ２０）の送信部３３に出力する。ＢＴＳ１０（ＭＳ２０）の送信部３３は、その非調整指示に応じて、ＴＳ＃０で下り無線フレーム（上り無線フレーム）を送信したときの送信電力を維持したまま、ＴＳ＃１で下り無線フレーム（上り無線フレーム）を送信信号としてＭＳ２０（ＢＴＳ１０）に送信する（ステップＳ７）。このとき、ＴＳ＃１で送信された下り無線フレームの送信電力レベルは、ＴＳ＃０で送信された下り無線フレーム（上り無線フレーム）の送信電力レベルと同じである。
【００３９】
送信電力制御処理において、ある一定の閾値を用いて受信ＴＰＣの信頼性Ｚの高低を判定（比較）するのではなく、乱数を用いて受信ＴＰＣの信頼性Ｚの高低を判定（比較）する理由として、例えば、図５に示すように、ＭＳ２０が２つの異なるＢＴＳ１０と通信を行っていた場合を例として説明することができる。ここで、２つの異なるＢＴＳ１０を、ＢＴＳ１０−１、ＢＴＳ１０−２とする。また、ＢＴＳ１０−１は、第１範囲１０１の中に設置され、ＢＴＳ１０−２は、第１範囲１０１に隣接する第２範囲１０２の中に設置されているものとする。また、ＭＳ２０を利用する利用者がＭＳ２０と共に第１範囲１０１から第２範囲１０２に移動したとき、ＭＳ２０とＢＴＳ１０−１との無線通信回線上の電波伝搬環境が悪く（受信ＳＩＲが低くＴＰＣの信頼性Ｚが低い）、ＭＳ２０とＢＴＳ１０−２との無線通信回線上の電波伝搬環境が良い／安定している（受信ＳＩＲが高くＴＰＣの信頼性Ｚが高い）ものとする。また、ＭＳ２０が第１範囲１０１から第２範囲１０２に移動したときにＭＳ２０とＢＴＳ１０−２との電波伝搬環境が良いため、ＭＳ２０は、送信ＴＰＣビットに“０”を設定したＴＳを含む上り無線フレームを送信したものとする。
【００４０】
このような場合、ＭＳ２０はＢＴＳ１０−２から受信した電力（受信ＳＩＲ）が安定している（Ｔａｒｇｅｔ　ＳＩＲに追従している）ため、送信する無線フレームに設定するＴＰＣには“０”と“１”とが、ほぼ交互に、かつ、同じ数だけ設定されることが予想される。そこで、本発明におけるＢＴＳ１０（ＢＴＳ１０−１、ＢＴＳ１０−２）では、図３に示された動作フロー（フローチャート）にしたがい、あるＴＳの受信ＴＰＣビットに“１”が設定されていた場合、そのままの指示通り次のＴＳの電力を増加させ、“０”が設定されていた場合、信頼性Ｚの値を算出し、その値により、送信電力を減少させるか、または、直前のＴＳの送信電力を維持するかの制御を行う。例えば、ＢＴＳ１０（ＢＴＳ１０−１、ＢＴＳ１０−２）が信頼性Ｚと比較する値として、ある一定の閾値を用いて送信電力制御処理を行うものとする。この場合、ＢＴＳ１０−１における受信ＳＩＲが低ければ低いほど、信頼性Ｚの値が低い値を表すため、この閾値の設け方によっては、ＢＴＳ１０−１では送信電力を減少させる判定（図３のＳ５−ＹＥＳ、Ｓ６）がされにくくなる。すなわち、ＢＴＳ１０−１が、送信電力を減少させると判定せずに、ＴＳ毎に送信電力を増加させる送信電力制御（図３のＳ２）と送信電力を維持する送信電力制御（図３のＳ７）とを行った場合、送信電力は、規定される上限値まで一方的に増加し続けることが懸念される。
【００４１】
これを回避するために、本発明のＣＤＭＡ無線システムでは信頼性Ｚとの比較に乱数を用いる。上述の乱数発生部３４は０〜１の実数をランダムに取り、また、そのＴＳの誤りパイロットビット数Ｙが大きいほど、信頼性Ｚは小さな値を表している。すなわち、ＢＴＳ１０（ＢＴＳ１０−１、ＢＴＳ１０−２）の制御部３２によって、信頼性Ｚと乱数発生部３４より取得した所定の値とを比較し、送信電力制御量（例えば、送信電力を減少させる場合、“−Ｎ［ｄＢ］”（Ｎは正数）を表し、直前のＴＳの送信電力を維持する場合、“０［ｄＢ］”を表す）を決めることは、送信電力を減少させる判定（図３のＳ５−ＹＥＳ、Ｓ６）が確率的になされると言える。このように、本発明のＣＤＭＡ無線システムでは、確率的な送信電力の制御を行うことで、上述のような信頼性Ｚが常に低い値を表すような条件下でも、送信電力を減少させる制御がなされる融通性を持たせ、懸念される一方的な送信電力の増加を避けることができる。
【００４２】
【発明の効果】
以上の説明のより、本発明のＣＤＭＡ無線システムは、電波伝搬環境に応じて送信電力を制御することができる。ＭＳ２０とＢＴＳ１０との無線通信回線上の電波伝搬環境が悪いとき、ＢＴＳ１０（ＭＳ２０）が受信信号として上り無線フレーム（下り無線フレーム）を受信して復調／復号した結果に誤りが生じる。ＢＴＳ１０（ＭＳ２０）は、その受信信号の受信ＴＰＣビットが“１”（送信電力を増加させる）であると判断した場合、送信電力を増加させて送信信号として下り無線フレーム（上り無線フレーム）をＭＳ２０（ＢＴＳ１０）に送信する。一方、ＢＴＳ１０（ＭＳ２０）は、その受信信号の受信ＴＰＣビットが“０”（送信電力を減少させる）であると判断した場合、その受信信号のパイロット信号“Ｐｉｌｏｔ”を構成する複数のパイロットビットによって受信ＴＰＣの信頼性Ｚを算出する。ここで、ＢＴＳ１０（ＭＳ２０）は、算出された信頼性Ｚと乱数を用いた所定の値とを比較して確率的な判定を行う。ＢＴＳ１０（ＭＳ２０）は、算出された信頼性Ｚが乱数を用いた所定の値より高い場合のみ、送信電力を減少させて送信信号として下り無線フレーム（上り無線フレーム）をＭＳ２０（ＢＴＳ１０）に送信する。このように、本発明のＣＤＭＡ無線システムは、電波伝搬環境が良い場合に加え、電波伝搬環境が悪い場合でも通話品質を保持することができる。
【図面の簡単な説明】
【図１】本発明のＣＤＭＡ無線システムの構成を示すブロック図である。
【図２】本発明のＣＤＭＡ無線システムの動作を示すフローチャート図である。
【図３】本発明のＣＤＭＡ無線システムの動作を示すフローチャート図である。
【図４】本発明のＣＤＭＡ無線システムにおける、ＴＳ当たりの測定パイロットビット数Ｘと誤りパイロットビット数Ｙとの比に基づく信頼性Ｚの計算値を示す図である。
【図５】本発明のＣＤＭＡ無線システムを説明するための概略図である。
【図６】図６は、従来のＣＤＭＡ無線システムと本発明のＣＤＭＡ無線システムとに用いられる無線フレームを示す図であり、図６（ａ）は、個別物理チャネル（ＤＰＣＨ）を用いた下りリンクの無線フレームの構成を示す図である。図６（ｂ）は、ＤＰＣＨを用いた上りリンクの無線フレームの構成を示す図である。
【図７】従来のＣＤＭＡ無線システムにおける、電波伝搬環境の悪い擬似試験結果を表す図である。
【図８】従来のＣＤＭＡ無線システムの擬似試験結果における、誤りパイロット数と誤りＴＰＣビット数との相関関係を示す図である。
【符号の説明】
１０　　無線基地局（ＢＴＳ）
２０　　無線移動局（ＭＳ）
３１　　受信部
３２　　制御部
３３　　送信部
１０１　　第１範囲
１０２　　第２範囲
【図１】
2004015354.tif 000003
【図２】
2004015354.tif 000004
【図３】
2004015354.tif 000005
【図４】
2004015354.tif 000006
【図５】
2004015354.tif 000007
【図６】
2004015354.tif 000008
【図７】
2004015354.tif 000009
【図８】
2004015354.tif 000010